(57)【要約】      （修正有）【課題】ゲ−ム機の強化型コイン排出装置の提供。【解決手段】本体１０を具え、本体の両側辺に複数の貫通孔１７が設けられ、それと実底面との接続部分に一つ以上の切欠きが設けられ、両側辺の外側面に補強カバー２０が設けられ、該両側辺の内側面に内遮蔽板３０が設けられ、内遮蔽板の底端近くの該切欠きと対応する位置に係止突起３１が設けられ、補強カバーが該両側の外側面に当接するよう組付けられ、内遮蔽板が上述の両側辺の内側面に組付けられ、それが本体に弾性係止されて補強された受力構造を共同で形成し、使用者の脚が乗せられてコイン排出装置が損壊するのを防止している。【選択図】図１
0003107014.tif 000002
【実用新案登録請求の範囲】
【請求項１】
ゲ−ム機の強化型コイン排出装置において、本体を具え、該本体は実底面、前後の折辺及び同形状の両側辺が共同で構成する上方が開放状の長溝室とされ、上述の両側辺に複数の貫通孔が設けられ、並びに該両側辺にあって実底面との接続部分に一つ以上の切欠きが設けられ、上述の両側辺の外側面に補強カバーが設けられ、該補強カバーは本体側面の形状に合わせて設けられ並びに水平幅を決定する外端面、上下の端面及び前端面が共同で構成する中空カバー形状を有し、補強カバーの内表面にあって上記両側辺の貫通孔との対応位置にパイルが設けられ、その両側辺の切欠きに対向する位置に凹面が設けられ、上述の両側辺の内側面に沿って内遮蔽板が設けられ、該内遮蔽板の底端近くの上記切欠きに対応する位置に係止突起が設けられ、内遮蔽板が上述の両側辺の内側面に組付けられてそれが本体に弾性位置決めされて共同で補強された受力構造を形成することを特徴とする、ゲ−ム機の強化型コイン排出装置。
【請求項２】
請求項１記載のゲ−ム機の強化型コイン排出装置において、本体の実底面と前後の折辺が同一板体を加圧加工してなり、両側辺は個別に板体を加圧加工してなり、所定幅の外折片で両側辺が前後の折辺の内表面に組付けられて前後の折辺の両側の内側に位置付けられたことを特徴とする、ゲ−ム機の強化型コイン排出装置。
【請求項３】
請求項１記載のゲ−ム機の強化型コイン排出装置において、両側辺の切欠きが内折片をパンチ加工することで形成されたことを特徴とする、ゲ−ム機の強化型コイン排出装置。
【考案の詳細な説明】
【技術分野】
【０００１】
本考案は一種のゲ−ム機の強化型コイン排出装置に係り、特にコイン排出装置の受力構造強度を増して損害を防止したものに関する。
【背景技術】
【０００２】
現在、ゲ−ム機のコイン排出装置は通常、実底面、前後の折辺及び両側の折辺が共同で構成する上方が開放された長溝室とされ、このような長溝状のコイン排出装置のほとんどは一枚の板を成形してなる。ゲーム機の使用特性により、消費者は相当に長い時間、ゲーム機の前に座って過ごす。長時間、同じ姿勢で座って過ごすと倦怠感が生じるため、消費者はときどき脚部の姿勢を調整する。このため着地していた脚部をゲーム機底部近くのコイン排出装置の上方に置くことがある。ただしこのような長溝状のコイン排出装置は一枚の板で形成されているため、その受力構造強度が理想的ではなく、往々にして消費者の脚部重量を受けて損壊する状況が発生し、このため改善が求められている。
【考案の開示】
【考案が解決しようとする課題】
【０００３】
本考案の主要な目的は、一種のゲ−ム機の強化型コイン排出装置を提供することにあり、それは、全体のコイン排出装置の受力構造強度が高められて消費者の脚部重量を受けても損壊しないものとされる。
【課題を解決するための手段】
【０００４】
請求項１の考案は、ゲ−ム機の強化型コイン排出装置において、本体を具え、該本体は実底面、前後の折辺及び同形状の両側辺が共同で構成する上方が開放状の長溝室とされ、上述の両側辺に複数の貫通孔が設けられ、並びに該両側辺にあって実底面との接続部分に一つ以上の切欠きが設けられ、上述の両側辺の外側面に補強カバーが設けられ、該補強カバーは本体側面の形状に合わせて設けられ並びに水平幅を決定する外端面、上下の端面及び前端面が共同で構成する中空カバー形状を有し、補強カバーの内表面にあって上記両側辺の貫通孔との対応位置にパイルが設けられ、その両側辺の切欠きに対向する位置に凹面が設けられ、上述の両側辺の内側面に沿って内遮蔽板が設けられ、該内遮蔽板の底端近くの上記切欠きに対応する位置に係止突起が設けられ、内遮蔽板が上述の両側辺の内側面に組付けられてそれが本体に弾性位置決めされて共同で補強された受力構造を形成することを特徴とする、ゲ−ム機の強化型コイン排出装置としている。
請求項２の考案は、請求項１記載のゲ−ム機の強化型コイン排出装置において、本体の実底面と前後の折辺が同一板体を加圧加工してなり、両側辺は個別に板体を加圧加工してなり、所定幅の外折片で両側辺が前後の折辺の内表面に組付けられて前後の折辺の両側の内側に位置付けられたことを特徴とする、ゲ−ム機の強化型コイン排出装置としている。
請求項３の考案は、請求項１記載のゲ−ム機の強化型コイン排出装置において、両側辺の切欠きが内折片をパンチ加工することで形成されたことを特徴とする、ゲ−ム機の強化型コイン排出装置としている。
【考案の効果】
【０００５】
本考案は全体のゲ−ム機のコイン排出装置の両側位置が、側辺、補強カバー及び内遮蔽板により共同で構成され、造形設計に適し美観を有するほか、その受力構造強度が高められて消費者が脚を乗せることによる損壊を防止できるものとされている。
【考案を実施するための最良の形態】
【０００６】
本考案のゲ−ム機の強化型コイン排出装置は、本体を具え、該本体は実底面、前後の折辺及び同じ形状の両側辺が共同で構成する上方が開放状の長溝室とされる。上述の両側辺に複数の貫通孔が設けられ、並びにそれと実底面との接続部分に一つ以上の切欠きが設けられている。上述の両側辺の外側面に補強カバーが設けられ、該補強カバーは本体側面の形状に合わせて設けられ並びに水平幅を決定する外端面、上下の端面及び前端面が共同で構成する中空カバー形状を有し、補強カバーの内表面と上述の側辺の両側の貫通孔の対応位置にパイルが設けられ、その両側辺の切欠きに対向する位置に凹面が設けられている。上述の両側辺の内側面に沿って内遮蔽板が設けられ、該内遮蔽板の底端近くの側辺切欠きに対応する位置に係止突起が設けられ、内遮蔽板が上述の両側辺の内側面に組付けられ、それが本体に弾性位置決めされて共同で補強された受力構造を形成する。
【実施例１】
【０００７】
図１から図５を参照されたい。これらの図に示される実施例において、本考案は、本体１０を具え、該本体１０は、実底面１１、前後の折辺１２、１３及び同じ形状の両側辺１４、１５が共同で構成する上方が開放状の長溝室とされる。この実施例では、上述の本体１０及び前後の折辺１２、１３は同一の板体を加圧加工してなり、同じ形状の両側辺１４、１５は個別に板体を加圧加工して形成され、並びに所定の幅の外折片１６で前後の折辺１２、１３の内表面に組付けられ、両側辺１４、１５は前後の折辺１２、１３の両側の僅かに内側位置に位置づけられる。
【０００８】
そのうち一方の側辺１４を例として説明する。その片体には複数の貫通孔１７が設けられ、並びにその組付け後の実底面１１との接続部分に一つ以上の切欠き１８（図２参照）が設けられ、この実施例では、これら切欠き１８は内折片１８１をパンチ加工する方式で形成される。また、これら側辺１４の上下位置に特定幅の上折片１９が設けられる。
【０００９】
上述の両側辺１４、１５の外側面に補強カバー２０が設けられ、これら補強カバー２０は本体１０側面に対応する中空カバー形状とされる。図示される実施例では、補強カバー２０はプラスチック射出方式で一体成形され、並びに設定水平幅の外端面２１、上下端面２２、２３及び前端面２４が共同で構成する中空カバー形状を呈する。補強カバー２０の内表面（即ち外端面２１の内面）にあって上述の側辺の貫通孔１７に対応する位置にパイル２５が設けられ、その側辺の切欠き１８に対向する位置に凹面２６が設けられている。
【００１０】
上述の両側辺１４、１５の内側面に沿ってそれぞれ内遮蔽板３０が設けられ、これらの底端近くの側辺切欠き１８に対応する位置にそれぞれ係止突起３１が設けられている。
本考案は上述の改良構造により、先ず、補強カバー２０が上述の両側辺１４、１５の外側面に当接させられ、その後、ボルト４０が貫通孔１７を通り対応位置のパイル２５にねじ込まれて両者が組み合わされて位置決めされる。この初期組合せ状態で、内遮蔽板３０が上述の両側辺１４、１５の内側面に組付けられ、それに設けられた係止突起３１が切欠き１８より挿通され並びに補強カバー２０の凹面２６に挿入されて本体の実底面１１の外端面に弾性係止される（図３、４、５参照）。
【００１１】
図６に示されるように、本考案は上述の構造により、ゲ−ム機５０の前端面の底部近くのコイン排出口５１のやや下方に取り付けられる。
以上の実施例は本考案の範囲を限定するものではなく、本考案に基づきなしうる細部の修飾或いは改変は、いずれも本考案の請求範囲に属するものとする。
【図面の簡単な説明】
【００１２】
【図１】本考案の実施例の立体分解図である。
【図２】図１中の側部構造の別方向の部品分解図である。
【図３】図１中の側部構造の拡大分解図である。
【図４】図１中の側部構造の局部断面組合せ状態表示図である。
【図５】図４の断面図である。
【図６】本考案のゲ−ム機への取付表示図である。
【符号の説明】
【００１３】
１０  本体                      １１  実底面
１２  前折辺                    １３  後ろ折辺
１４  側辺                      １５  側辺
１６  外折片                    １７  貫通孔
１８  切欠き                    １９  上折片
２０  補強カバー                ２１  外端面
２２  上端面                    ２３  下端面
２４  前端面                    ２５  パイル
２６  凹面                      ３０  内遮蔽板
３１  係止突起                  ４０  ボルト
５０  ゲ−ム機                  ５１  コイン排出口
１８１  内折片
【図１】
0003107014.tif 000003
【図２】
0003107014.tif 000004
【図３】
0003107014.tif 000005
【図４】
0003107014.tif 000006
【図５】
0003107014.tif 000007
【図６】
0003107014.tif 000008